【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によってアクセス制御を行うための方法であって、
アクセス規制パラメータを取得することと、ここにおいて、前記アクセス規制パラメータは、前記ＵＥがアクセス規制チェックを行うときに別々の状態において適用するために、アクセスカテゴリごとに別々のアクセス試行要因を含む、ここにおいて、前記アクセス規制パラメータは、
アクセスカテゴリへのアクセス試行の第１のマッピングであって、前記ＵＥがアイドルモードまたは非アクティブモードから接続モードに遷移するときに前記アクセス試行のための前記アクセス規制チェックを行うことに使用するための、第１のマッピングと、ここにおいて前記第１のマッピングはアプリケーションタイプに基づく、
アクセスカテゴリへの前記アクセス試行の第２のマッピングであって、前記ＵＥが前記接続モードにあるときに前記アクセス試行のための前記アクセス規制チェックを行うことに使用するための、第２のマッピングと、ここにおいて第２のマッピングはベアラＩＤ、サービス品質（ＱｏＳ）フローＩＤ（ＱＦＩ）、またはＱｏＳインジケータのうちの少なくとも１つに基づく、
を提供する、
前記ＵＥの現在の状態のための前記アクセス試行要因に依存する、前記第１のマッピングまたは前記第２のマッピングに基づいて、前記アクセス試行のための前記アクセス規制チェックを行うこととを備える、方法。
【請求項２】
新しいベアラおよび／またはＱｏＳフローが追加されたときに、並びに／あるいは前記アクセス規制パラメータが更新されたときに、ＱｏＳフローおよび／またはベアラごとに前記アクセスカテゴリを導出することをさらに備える、請求項１に記載の方法。
【請求項３】
前記第２のマッピングは、シグナリングトラフィックの場合、別々のＲＲＣ手順またはＮＡＳ手順に対する別々の優先度に基づく、請求項１に記載の方法。
【請求項４】
前記ＵＥは、前記接続モードにある間に前記第１のマッピングのための構成を取得する、請求項１に記載の方法。
【請求項５】
前記ＵＥは、
指定された持続時間、
前記ＵＥが再構成されるまで、または
前記ＵＥが新しいセルへ移動するまでのうちの少なくとも１つで前記構成を維持する、請求項４に記載の方法。
【請求項６】
前記アクセス規制パラメータの少なくとも第１の部分がブロードキャストシグナリングを介して取得される、請求項１に記載の方法。
【請求項７】
前記アクセス規制パラメータの少なくとも第２の部分が専用シグナリングを介して取得される、請求項６に記載の方法。
【請求項８】
前記アクセス規制パラメータはカテゴリごとの規制情報を備える、請求項１に記載の方法。
【請求項９】
専用シグナリングを介して通知されたアクセス規制パラメータに対するブロードキャストされたアクセス規制パラメータの優先度の指示を受信することをさらに備える、請求項１に記載の方法。
【請求項１０】
前記アクセス規制パラメータは１つまたは複数のメッセージ内で通知される、請求項１に記載の方法。
【請求項１１】
前記メッセージのうちの１つが、前記ブロードキャストされたアクセスパラメータの一部を有し、追加パラメータの存在を示す、請求項１０に記載の方法。
【請求項１２】
ネットワークエンティティによってアクセス制御を行うための方法であって、
少なくとも１つのユーザ機器（ＵＥ）がアクセス規制チェックを行うことを別々の状態において適用するために、アクセスカテゴリごとに別々のアクセス試行要因を含むアクセス規制パラメータを決定することと、
前記アクセス規制パラメータを前記ＵＥに通知することとを備え、前記アクセス規制パラメータは、
アクセスカテゴリへのアクセス試行の第１のマッピングであって、前記ＵＥがアイドルモードまたは非アクティブモードから接続モードに遷移するときに前記アクセス試行のための前記アクセス規制チェックを行うことに使用するための、第１のマッピングと、ここにおいて前記第１のマッピングはアプリケーションタイプに基づく、
アクセスカテゴリへの前記アクセス試行の第２のマッピングであって、前記ＵＥが前記接続モードにあるときに前記アクセス試行のための前記アクセス規制チェックを行うことに使用するための、第２のマッピングと、ここにおいて第２のマッピングはベアラＩＤ、サービス品質（ＱｏＳ）フローＩＤ（ＱＦＩ）、またはＱｏＳインジケータのうちの少なくとも１つに基づく、
を提供することを特徴とする、方法。
【請求項１３】
ユーザ機器（ＵＥ）によってアクセス制御を行うための装置であって、
アクセス規制パラメータを取得するための手段と、ここにおいて、前記アクセス規制パラメータが、前記ＵＥがアクセス規制チェックを行うことを別々の状態において適用するために、アクセスカテゴリごとに別々のアクセス試行要因を含む、ここにおいて、前記アクセス規制パラメータは、
アクセスカテゴリへのアクセス試行の第１のマッピングであって、前記ＵＥがアイドルモードまたは非アクティブモードから接続モードに遷移するときに前記アクセス試行のための前記アクセス規制チェックを行うことに使用するための、第１のマッピングと、ここにおいて前記第１のマッピングはアプリケーションタイプに基づく、
アクセスカテゴリへの前記アクセス試行の第２のマッピングであって、前記ＵＥが前記接続モードにあるときに前記アクセス試行のための前記アクセス規制チェックを行うことに使用するための、第２のマッピングと、ここにおいて第２のマッピングはベアラＩＤ、サービス品質（ＱｏＳ）フローＩＤ（ＱＦＩ）、またはＱｏＳインジケータのうちの少なくとも１つに基づく、
を提供する、
前記ＵＥの現在の状態のための前記アクセス試行要因に依存する、前記第１のマッピングまたは前記第２のマッピングに基づいて、前記アクセス試行のための前記アクセス規制チェックを行うための手段とを備える、装置。
【請求項１４】
ネットワークエンティティによってアクセス制御を行うための装置であって、
少なくとも１つのユーザ機器（ＵＥ）がアクセス規制チェックを行うことを別々の状態において適用するために、アクセスカテゴリごとに別々のアクセス試行要因を含むアクセス規制パラメータを決定するための手段と、
前記アクセス規制パラメータを前記ＵＥに通知するための手段とを備え、前記アクセス規制パラメータは、
アクセスカテゴリへのアクセス試行の第１のマッピングであって、前記ＵＥがアイドルモードまたは非アクティブモードから接続モードに遷移するときに前記アクセス試行のための前記アクセス規制チェックを行うことに使用するための、第１のマッピングと、ここにおいて前記第１のマッピングはアプリケーションタイプに基づく、
アクセスカテゴリへの前記アクセス試行の第２のマッピングであって、前記ＵＥが前記接続モードにあるときに前記アクセス試行のための前記アクセス規制チェックを行うことに使用するための、第２のマッピングと、ここにおいて第２のマッピングはベアラＩＤ、サービス品質（ＱｏＳ）フローＩＤ（ＱＦＩ）、またはＱｏＳインジケータのうちの少なくとも１つに基づく、
を提供することを特徴とする、装置。
【請求項１５】
ワイヤレス通信装置のプロセッサによって実行されたとき、請求項１乃至１２のうちのいずれか１つの方法を前記ワイヤレス通信装置に行わせるコンピュータ実行可能命令を備える、コンピュータ可読媒体。
【手続補正２】
【補正対象書類名】明細書
【補正対象項目名】００９７
【補正方法】変更
【補正の内容】
【００９７】
[0105]  特許請求の範囲は、上記に示された厳密な構成および構成要素に限定されないことを理解されたい。特許請求の範囲から逸脱することなく、上述された方法および装置の構成、動作、および詳細において、様々な修正、変更、および変形が行われ得る。
以下に本願の出願当初の特許請求の範囲に記載された発明を付記する。
[Ｃ１]  ユーザ機器（ＵＥ）によってアクセス制御を行うための方法であって、
アクセス規制パラメータを取得することと、ここにおいて、前記アクセス規制パラメータは、前記ＵＥがアクセス規制チェックを行うことを別々の状態において適用するために、アクセスカテゴリごとに別々のアクセス試行要因を含む、
アクセスカテゴリへのアクセス試行のマッピングに基づくとともに、前記ＵＥの現在の状態のための前記アクセス試行要因に依存して、アクセス規制チェックを行うこととを備える、方法。
[Ｃ２]  前記アクセス規制パラメータは、
前記ＵＥがアイドルモードまたは非アクティブモードから接続モードに遷移するときに適用するための、アクセスカテゴリへのアクセス試行の第１のマッピングと、
前記ＵＥが前記接続モードにあるときに適用するための、アクセスカテゴリへの前記アクセス試行の第２のマッピングとを提供する、Ｃ１に記載の方法。
[Ｃ３]  前記第１のマッピングはアプリケーションタイプに基づく、Ｃ２に記載の方法。
[Ｃ４]  前記第２のマッピングは、ベアラＩＤ、サービス品質（ＱｏＳ）フローＩＤ（ＱＦＩ）、またはＱｏＳインジケータのうちの少なくとも１つに基づく、Ｃ２に記載の方法。
[Ｃ５]  新しいベアラおよび／またはＱｏＳフローが追加されたときに、並びに／あるいは前記アクセス規制パラメータが更新されたときに、ＱｏＳフローおよび／またはベアラごとに前記アクセスカテゴリを導出することをさらに備える、Ｃ４に記載の方法。
[Ｃ６]  前記第２のマッピングは、シグナリングトラフィックの場合、別々のＲＲＣ手順またはＮＡＳ手順に対する別々の優先度に基づく、Ｃ２に記載の方法。
[Ｃ７]  前記ＵＥは、前記接続モードにある間に前記第１のマッピングのための構成を取得する、Ｃ２に記載の方法。
[Ｃ８]  前記ＵＥは、
指定された持続時間、
前記ＵＥが再構成されるまで、または
前記ＵＥが新しいセルへ移動するまでのうちの少なくとも１つで前記構成を維持する、Ｃ７に記載の方法。
[Ｃ９]  前記アクセス規制パラメータの少なくとも第１の部分がブロードキャストシグナリングを介して取得される、Ｃ１に記載の方法。
[Ｃ１０]  前記アクセス規制パラメータの少なくとも第２の部分が専用シグナリングを介して取得される、Ｃ９に記載の方法。
[Ｃ１１]  前記アクセス規制パラメータはカテゴリごとの規制情報を備える、Ｃ１に記載の方法。
[Ｃ１２]  専用シグナリングを介して通知されたアクセス規制パラメータに対するブロードキャストされたアクセス規制パラメータの優先度の指示を受信することをさらに備える、Ｃ１に記載の方法。
[Ｃ１３]  前記アクセス規制パラメータは１つまたは複数のメッセージ内で通知される、Ｃ１に記載の方法。
[Ｃ１４]  前記メッセージのうちの１つが、前記ブロードキャストされたアクセスパラメータの一部を有し、存在追加パラメータを示す、Ｃ１３に記載の方法。
[Ｃ１５]  ネットワークエンティティによってアクセス制御を行うための方法であって、
少なくとも１つのユーザ機器（ＵＥ）がアクセス規制チェックを行うことを別々の状態において適用するための、アクセスカテゴリごとに別々のアクセス試行要因を含むアクセス規制パラメータを決定することと、
前記アクセス規制パラメータを前記ＵＥに通知することとを備える、方法。
[Ｃ１６]  前記アクセス規制パラメータは、
前記ＵＥがアイドルモードまたは非アクティブモードから接続モードに遷移するときに適用するための、アクセスカテゴリへのアクセス試行の第１のマッピングと、
前記ＵＥが接続モードにあるときに適用するための、アクセスカテゴリへの前記アクセス試行の第２のマッピングとを提供する、Ｃ１５に記載の方法。
[Ｃ１７]  前記第１のマッピングはアプリケーションタイプに基づく、Ｃ１６に記載の方法。
[Ｃ１８]  前記第２のマッピングは、ベアラＩＤ、サービス品質（ＱｏＳ）フローＩＤ（ＱＦＩ）、またはＱｏＳインジケータのうちの少なくとも１つに基づく、Ｃ１６に記載の方法。
[Ｃ１９]  前記第２のマッピングは、シグナリングトラフィックの場合、別々のＲＲＣ手順またはＮＡＳ手順に対する別々の優先度に基づく、Ｃ１６に記載の方法。
[Ｃ２０]  前記ネットワークエンティティは、前記ＵＥが前記接続モードにある間に前記第１のマッピングのための構成を通知する、Ｃ１６に記載の方法。
[Ｃ２１]  前記ＵＥは、
指定された持続時間、
前記ＵＥが再構成されるまで、または
前記ＵＥが新しいセルへ移動するまでのうちの少なくとも１つで前記構成を維持するように構成される、Ｃ２０に記載の方法。
[Ｃ２２]  前記アクセス規制パラメータの少なくとも第１の部分がブロードキャストシグナリングを介して通知される、Ｃ１５に記載の方法。
[Ｃ２３]  前記アクセス規制パラメータの少なくとも第２の部分が専用シグナリングを介して通知される、Ｃ２２に記載の方法。
[Ｃ２４]  前記アクセス規制パラメータはカテゴリごとの規制情報を備える、Ｃ１５に記載の方法。
[Ｃ２５]  専用シグナリングを介して通知されたアクセス規制パラメータに対するブロードキャストされたアクセス規制パラメータの優先度の指示を提供することをさらに備える、Ｃ１５に記載の方法。
[Ｃ２６]  前記アクセス規制パラメータは１つまたは複数のメッセージ内で通知される、Ｃ１５に記載の方法。
[Ｃ２７]  前記メッセージのうちの１つが、前記ブロードキャストされたアクセスパラメータの一部を有し、存在追加パラメータを示す、Ｃ２６に記載の方法。
[Ｃ２８]  ユーザ機器（ＵＥ）によってアクセス制御を行うための装置であって、
アクセス規制パラメータを取得するための手段と、ここにおいて、前記アクセス規制パラメータが、前記ＵＥがアクセス規制チェックを行うことを別々の状態において適用するために、アクセスカテゴリごとに別々のアクセス試行要因を含む、
アクセスカテゴリへのアクセス試行のマッピングに基づくとともに、前記ＵＥの現在の状態のための前記アクセス試行要因に依存して、アクセス規制チェックを行うための手段とを備える、装置。
[Ｃ２９]  ネットワークエンティティによってアクセス制御を行うための装置であって、
少なくとも１つのユーザ機器（ＵＥ）がアクセス規制チェックを行うことを別々の状態において適用するための、アクセスカテゴリごとに別々のアクセス試行要因を含むアクセス規制パラメータを決定するための手段と、
前記アクセス規制パラメータを前記ＵＥに通知するための手段とを備える、装置。